(57)【要約】 【課題】  ＬＥＤ基板にスルーホールを有する表面実装型のＬＥＤにおいて、スルーホールに溶融した封止部材が侵入するのを防止するとともに、ダイシングの際にＬＥＤ基板の電極が剥離するのを防止する。【解決手段】  ＬＥＤ基板１０上にＬＥＤ素子１を搭載しモールド樹脂よりなる封止部材により封止して形成されるＬＥＤ（発光ダイオード）５０のＬＥＤ基板１０の構造を、絶縁基板２にＬＥＤ素子１を外部に導通するための導通電極手段４とスルーホール３を設け、前記導通電極手段４の一部を被覆するプリプレグ６により前記スルーホール３の入り口を塞ぎ、前記導通電極手段４のプリプレグ６の被覆されない露出部分に、ＬＥＤ素子１をワイヤー１２により接続するための表面メッキ部５ａ、５ｂよりなるボンディング領域を設けてなる構造とする。【選択図】  図１  
2005197479.tif 000002
【特許請求の範囲】
【請求項１】
ＬＥＤ基板上にＬＥＤ素子を搭載しモールド樹脂よりなる封止部材により封止して形成されるＬＥＤ（発光ダイオード）のＬＥＤ基板の構造において、該ＬＥＤ基板は、絶縁基板にＬＥＤ素子を外部に導通するための導通電極手段とスルーホールを設け、前記導通電極手段の一部を被覆するプリプレグ等の樹脂材により前記スルーホールの入り口を塞ぎ、前記導通電極手段の前記プリプレグ等の樹脂材により被覆されない部分に、前記ＬＥＤ素子をダイボンド及びワイヤー等によりボンディングするための実装領域を設けてなる構造を有することを特徴とするＬＥＤ基板。
【請求項２】
ＬＥＤ基板上にＬＥＤ素子を搭載しモールド樹脂よりなる封止部材により封止して形成されるＬＥＤ（発光ダイオード）のＬＥＤ基板の構造において、該ＬＥＤ基板は絶縁基板にＬＥＤ素子を外部に導通するための導通電極手段とスルーホールを設け、銅箔よりなる導通電極手段によりスルーホールの入り口を塞ぎ、前記銅箔の一部をプリプレグ等の樹脂材により被覆し、前記銅箔のプリプレグ等の樹脂材により被覆されない部分に、前記ＬＥＤ素子をダイボンド及びワイヤー等によりボンディングするための実装領域を設けてなる構造を有することを特徴とするＬＥＤ基板。  
【請求項３】
前記導通電極手段は銅等を下地とするものであり、導通電極手段上を全面にわたり、プリプレグ等の樹脂材で被覆した後、そのプリプレグ等の樹脂材の一部を除去し、除去により露出した銅等の下地の上に前記ＬＥＤ素子を実装するためのメッキ処理を施したことを特徴とする請求項１又は請求項２に記載のＬＥＤ基板。
【請求項４】
前記プリプレグ等の樹脂材の一部を除去し、除去により露出した銅等の下地の上に前記ＬＥＤ素子を実装するためにするメッキ処理はＮｉ／Ａｕメッキ、またはＡｇメッキであることを特徴とする請求項３に記載のＬＥＤ基板。
【請求項５】
前記絶縁基板上に形成される導通電極手段の下地は銅箔であることを特徴とする請求項１乃至請求項４のいずれかに記載のＬＥＤ基板。
【請求項６】
前記絶縁基板はガラエポ、ＢＴレジン、アルミナ等からなることを特徴とする請求項１乃至請求項５のいずれかに記載のＬＥＤ基板。
【発明の詳細な説明】
【技術分野】
【０００１】
この発明は発光ダイオード素子（以下ＬＥＤ素子という。）を基板に搭載して形成される表面実装型の発光ダイオード（以下ＬＥＤという。）のその基板であるＬＥＤ基板に関するものであり、特にスルーホールを有するものに関する。
【背景技術】
【０００２】
表面実装型のＬＥＤは、低電力で発光し、実装に適しているところから各種表示パネルの光源、液晶表示装置のバックライトあるいは表面スイッチの光源として広く使用されている。かかるＬＥＤは、ｐ型半導体層とｎ型半導体層がｐ−ｎ接合されたＬＥＤ素子（又はＬＥＤチップ）がＬＥＤ基板に搭載されて形成される。このようなＬＥＤ基板の一例として図５に示すような表面実装型のＬＥＤ基板が知られている（これに類似するものは例えば、特許文献１参照）。
【特許文献１】特開平８−２１３６６０  図１５
【０００３】
ここで、図５（ａ）はＬＥＤ基板１１０を示す断面図であり、図５（ｂ）はそのＬＥＤ基板１１０を用いたＬＥＤ１５０を示す断面図である。図５（ａ）において、１０２は絶縁材よりなる長方形の絶縁基板、１０３、１０４は絶縁基板１０２に設けられた接続電極である。接続電極１０３、１０４は共に、絶縁基板１０２の上面から側面を経て、その下面にまで形成されている。このように構成されたＬＥＤ基板１１０を用いてＬＥＤを形成するには、図５（ｂ）に示すように、絶縁基板１０２の上面に（ここでは接続電極１０２の上に）ＬＥＤ素子１０１を固着するとともに、ＬＥＤ素子１０１と接続電極１０３、１０４とをワイヤー１０６で電気的に接続する。そして透明な樹脂よりなる封止部材１０７を、前記ＬＥＤ素子１０１、ワイヤー１０６、および接続電極１０３、１０４を被覆、保護するようにして、絶縁基板１０２上にモールド加工等により形成する。このようにして表面実装型のＬＥＤ１５０が形成される。この表面実装型のＬＥＤ１５０は一般的なものであるが、前記の封止部材１０７によって封止をする際に、溶融状態になった封止部材１０７が絶縁基板１０２の裏側に回り込むのを防止するために、治具等に必要なスペースとして、絶縁基板１０２は封止部材１０７よりも外側に張り出した張り出し部を必要とする。このため、表面実装型のＬＥＤ１５０の外形が大きくなり、これにより実装面積が大きくなり、これが組み込まれる装置の小型化を図る上で不利となる。
【０００４】
そこで、この欠点を改善することを目的とした表面実装型の電子部品の基板構造としてとして、図６に示すＬＥＤ基板１２０に類似のもの（例えば特許文献２参照）と図７に示すＬＥＤ基板１３０に類似のもの（例えば特許文献３参照）が知られている。
【特許文献２】特開平８−１０７１６１  図７
【特許文献３】特開２００１−１４８５１７  図８
【０００５】
ここで、図６（ａ）ＬＥＤ基板１２０の断面図、図６（ｂ）はＬＥＤ基板１２０を用いて形成したＬＥＤの集合体１６０Ｓを示す図である。図６（ａ）に示すＬＥＤ基板１２０において、１２２は絶縁基板、１２８は絶縁基板１２２に設けられたスルーホール、１２３および１２４は絶縁基板１２２の上面からそれぞれ前記のスルーホール１２８を経て絶縁基板１２２の下面にまで形成された接続電極である。（ここで、便宜上、スルーホール１２８を挟んで右側の接続電極の部分を接続電極１２３とし、左側の部分を接続電極１２４とするが、これらは後述するようにスルーホールを通るダイシングにより絶縁基板１２２が分割される前は一体として導通している。）１２５は前記スルーホール１２８の入り口を塞ぐようにして、前記の接続電極１２３、１２４に接着されたドライフィルムである。図６（ｃ）は図６（ａ）に示したＬＥＤ基板１２０を用いた表面実装型の電子部品としてのＬＥＤ１６０を示す図である。ＬＥＤ基板（１２０）を用いてＬＥＤ１６０を形成するには、図６（ｂ）に示すように、ＬＥＤ基板上（ここでは、接続電極１２３の上）にＬＥＤ素子１０１を固着するとともに、ＬＥＤ素子１０１と接続電極１２３、１２４とをワイヤー１０６で電気的に接続する。そしてこれらの上を透明なモールド樹脂よりなる封止部材１２７をモールド加工により形成して封止する。この際、上記したようにスルーホール１２８の入り口は前記ドライフィルム１２５により塞がれているので、封止部材１２７の溶融したモール樹脂がスルーホール１２８内に入り込み、絶縁基板１２２の下面側にしみだすのを防止することができる。このようにして図６（ｂ）に示すＬＥＤの集合体１６０Ｓが形成される。そして、この集合体１６０Ｓを点線で示すライン（スルーホール１２８を通るライン）に沿ってダイシングすることにより、図６（ｃ）に示す個々のＬＥＤ１６０が分割されて形成される。
【０００６】
このＬＥＤ１６０の構造によれば、スルーホール１２８により絶縁基板１２２の上下面の接続電極１２３、１２４の導通がなされるため、図５に示したＬＥＤ１５０のような絶縁ＬＥＤ基板（１０２）の張り出し部が不要となり、平面寸法が小型となる。しかし、ドライフィルム１２５と絶縁基板１２２（又は絶縁基板１２２上の接続電極１２３、１２４）の間にある程度密着力が必要とされるため接着面積を大きくとらなければならないので、ＬＥＤ１６０の小型化に限度がある。また、表面のメッキにより接続電極１２３、１２４を形成しているときは、その上にドライフィルム１２５をフォトエッチングによりパターニングする際に、レジストが耐えられず、図６（ａ）に示すような構造がとれない場合がある。
【０００７】
図７（ａ）に示すＬＥＤ基板１３０は図６に示すＬＥＤ基板１２０の上記の問題を改善するための銅箔貼り付け方式によるＬＥＤ基板である。図７（ａ）に示すＬＥＤ基板１３０において、１３２は絶縁基板、１３８はＬＥＤ基板１３２設けられたスルーホール、１３３は、絶縁基板１３２の上面に形成された銅箔よりなる銅箔パタ−ンである。導箔パターン１３３はスルーホール１３８の入り口を塞ぐようにして絶縁基板１３２の上面に形成されている。銅箔パターン１３３の上にはボンディングのための表面メッキ部１３５ａおよび１３５ｂが形成されている。又、スルーホール１３８の内面から絶縁基板１３２の下面にかけて、銅箔パターン１３３と導通する裏側メッキ部１３４が形成されている。
図７（ｂ）は図７（ａ）に示したＬＥＤ基板１３０を用いて表面実装型の電子部品としてのＬＥＤを形成する方法を示す図である。図７（ｂ）に示すように、ＬＥＤ基板（図７（ａ）の１３０）の上面（ここでは銅箔パターン１３３）の上にＬＥＤ素子１０１を固定するとともに、ＬＥＤ素子１０１と表面メッキ部１３５ａ、１３４ａとをそれぞれワイヤー１０６で電気的に接続する。１３７は透明なモールド樹脂よりなる封止部材であり、図６（ｂ）の封止部材１２７と同様にして形成される。この形成の際、銅箔パターン１３３により、スルーホール１３８、１３８の入り口が塞がれているので、溶融した封止部材１３７のモールド樹脂がスルーホール１３８を通って絶縁基板２３２の裏面にしみ出すことが防止される。このようにして図７（ｂ）に示すＬＥＤの集合体１７０Ｓが形成された後に点線で示すライン（スルーホール１３８を通るライン）に沿ってダイシングされ、図７（ｃ）に示す個々のＬＥＤ１７０に分割される。このとき、ＬＥＤ１７０においては銅箔パターン１３３は分割されて、表面メッキ部１３５ａに導通する左側の導箔電極１３３ａと、表面メッキ部１３５ｂに導通する右側の導箔電極１３３ａとに分かれる。
【０００８】
このように構成された銅箔貼り付け方式によるＬＥＤ基板１３０を用いた表面実装型のＬＥＤ１７０は、図６に示したＬＥＤ１６０に比較すると、図７（ｂ）に示すようにドライフィルム（１２５）を用いることなく、前記銅箔パターン１３３のみにより前記封止部材１３７の溶融したモールド樹脂がスルーホール内１３８に侵入するのを防止することができるので、ドライフィルムに必要な平面スペースを省くことが出来、電子部品としての小型化の目的が達成できる。
【０００９】
しかしながら、このような銅箔貼り付け方式によるＬＥＤ（１７０）は図７（ｂ）に示すようにスルーホール部（１３８）をダイシングする際、ダイシングのストレスにより、銅箔パターン１３３が絶縁基板１３２からの剥離する場合があるという問題がある。
【発明の開示】
【発明が解決しようとする課題】
【００１０】
本発明は上記したように、小型化のためにＬＥＤ基板にスルーホールを有する表面実装型のＬＥＤにおいて、スルーホールに溶融した封止部材が侵入するのを防止するための手段として図６に示すようなドライフィルム（１２５）を用いた場合にはドライフィルムの必要面積のためにＬＥＤの小型化が制限を受けること、この点を改善するために、図７に示すようにＬＥＤ基板上の接続電極を銅箔（１３３）により構成して、スルーホールの入り口を塞ぐようにすると、ダイシングの際ストレスにより、銅箔の剥離を生ずることがあるという問題を改善することを課題とする。
【課題を解決するための手段】
【００１１】
上記の課題を解決するための第１の手段として本発明は、ＬＥＤ基板上にＬＥＤ素子を搭載しモールド樹脂よりなる封止部材により封止して形成されるＬＥＤ（発光ダイオード）のＬＥＤ基板の構造において、該ＬＥＤ基板は、絶縁基板にＬＥＤ素子を外部に導通するための導通電極手段とスルーホールを設け、前記導通電極手段の一部を被覆するプリプレグ等の樹脂材により前記スルーホールの入り口を塞ぎ、前記導通電極手段の前記プリプレグ等の樹脂材により被覆されない部分に、前記ＬＥＤ素子をダイボンド及びワイヤー等によりボンディングするための実装領域を設けてなる構造を有することを特徴とする。
【００１２】
上記の課題を解決するための第２の手段として本発明は、  ＬＥＤ基板上にＬＥＤ素子を搭載しモールド樹脂よりなる封止部材により封止して形成されるＬＥＤ（発光ダイオード）のＬＥＤ基板の構造において、該ＬＥＤ基板は絶縁基板にＬＥＤ素子を外部に導通するための導通電極手段とスルーホールを設け、銅箔よりなる導通電極手段によりスルーホールの入り口を塞ぎ、前記銅箔の一部をプリプレグ等の樹脂材により被覆し、前記銅箔のプリプレグ等の樹脂材により被覆されない部分に、前記ＬＥＤ素子をダイボンド及びワイヤー等によりボンディングするための実装領域を設けてなる構造を有することを特徴とする。
【００１３】
上記の課題を解決するための第３の手段として本発明は前記第1の手段又は第２の手段において、前記導通電極手段は銅等を下地とするものであり、導通電極手段上を全面にわたり、プリプレグ等の樹脂材で被覆した後、そのプリプレグ等の樹脂材の一部を除去し、除去により露出した銅等の下地の上に前記ＬＥＤ素子を実装するためのメッキ処理を施したことを特徴とする。
【００１４】
上記の課題を解決するための第４の手段として本発明は、前記第3の手段において、前記プリプレグ等の樹脂材の一部を除去し、除去により露出した銅等の下地の上に前記ＬＥＤ素子を実装するためにするメッキ処理はＮｉ／Ａｕメッキ、またはＡｇメッキであることを特徴とする。
【００１５】
上記の課題を解決するための第５の手段として本発明は、前記第１の手段乃至第4の手段のいずれかにおいて、前記絶縁基板上に形成される導通電極手段の下地は銅箔であることを特徴とする。
【００１６】
上記の課題を解決するための第６の手段として本発明は、前記第１の手段乃至第５の手段のいずれかにおいて、前記絶縁基板はガラエポ、ＢＴレジン、アルミナ等からなることを特徴とする。
【発明の効果】
【００１７】
前記第１の手段乃至第３のいずれかに係る本発明のＬＥＤ基板の基板構造によれば、プリプレグ等の粘度、接着力の高い樹脂により、絶縁基板に設けられたスルーホールの入り口が塞がれるとともに、絶縁基板上の導通電極手段もこれにより被覆保護される。また、導通電極手段は全部プリプレグ等により被覆されるのではなく、前記ＬＥＤ素子との接続に必要な領域は露出させることができる。よって、導通電極手段の面積を特別に増やすことなく、プリプレグ等の樹脂により、封止部材の溶融したモールド樹脂のスルーホールへの侵入を防ぐとともに、導通電極手段の絶縁基板との密着力を強化して、スルーホールのダイシングの際に導通電極手段が絶縁基板から剥離するのを防止し、従来の問題点を改善し、小型で信頼性の高い表面実装型のＬＥＤの製造を可能とする。また、前記導通電極手段の露出領域はかなり広くとれるのでこの領域にＬＥＤ素子の接続のための表面メッキを施すことにより、反射効率を高めＬＥＤとしての出射光の強さを高めるのに貢献する。
【００１８】
前記第４の手段又は第５の手段に係る本発明のＬＥＤ基板構造によれば、上記の効果の他に、絶縁基板上の導通電極手段を銅箔で形成することにより、導通電極手段上に一旦形成したプリプレグ等の樹脂層の一部をエッチング除去して、前記ＬＥＤ素子との接続に必要な領域は露出する際に、銅箔である導通電極手段は十分にエッチングに耐えうるという利点を有する。
【発明を実施するための最良の形態】
【００１９】
ＬＥＤ基板上にＬＥＤ素子を搭載しモールド樹脂よりなる封止部材により封止して形成されるＬＥＤ（発光ダイオード）のＬＥＤ基板の構造において、該ＬＥＤ基板は、絶縁基板にＬＥＤ素子を外部に導通するための導通電極手段である下地電極パターンとスルーホールを設け、前記下地電極パターンの一部を被覆するプリプレグにより前記スルーホールの入り口を塞ぎ、前記下地電極パターンの前記プリプレグに被覆されない部分の露出した下地電極パターンの表面をメッキして表面メッキ部とし、その表面メッキ部を前記ＬＥＤ素子をワイヤー等によりボンディングするためのボンディング領域とするような構造とする。
【実施例１】
【００２０】
以下に図面を参照して、本発明に係るＬＥＤ基板の基板構造の実施例１を説明する。図１は実施例１の構成を示す図である。図１（ａ）はＬＥＤ基板１０の断面図であり、図１（ｂ）はその上面図である。図１（ａ）、（ｂ）において、２はガラエポ、BTレジンまたはアルミナ等の絶縁材よりなる長方形の絶縁基板、３は絶縁基板２に設けられたスルーホールである。４は絶縁基板２上に形成された導通電極手段としての下地電極パターンである。下地電極パターン４は銅メッキ等により、絶縁基板２の上面からスルーホール３を通って絶縁基板２の下面にまで形成されている。絶縁基板２の上面においては、前記下地電極パターン４の上にＮｉ／ＡｕメッキまたはAgメッキよりなる表面メッキ部５ａおよび５ｂが形成されている。また、スルーホール３の内面および絶縁基板２の下面に形成された下地電極パターン４の上にも同様の材料の表面メッキ部３ａが形成されている。ここで、前記表面メッキ部５ａ、５ｂは、スルーホール３を挟んで互いに反対側の位置に形成される。６はプリプレグよりなる被覆樹脂であり、表面メッキ部５ａ、５ｂを残して、絶縁基板２上のすべての部分（下地電極パターン４も含め）を被覆する。
【００２１】
ここで、前記の表面メッキ部５ａ、５ｂおよび被覆樹脂６の形成の方法を図２を用いて説明する。すなわち（１）図２（ａ）、（ｂ）に示すように絶縁基板２上にスルーホール３を経て下面に至るまで、公知の方法で下地電極パターン４を形成する。（２）次に、図２（ｃ）に示すように、絶縁基板２の上面の全面に、プリプレグよりなる前記被覆樹脂６を塗布等により形成する。（３）次に、図２（ｄ）に示すようにレジスト形成、エッチング等の公知の技術により、必要な部分（表面メッキ部５ａおよび５ｂに対応する部分）の被覆樹脂６を除去し、この部分の下地電極パターン４を露出させる。（４）次に、図２（ｅ）に示すように、露出した下地電極パターン４の表面上にＮｉ／ＡｕメッキまたはAgメッキによるメッキ層を形成することにより、表面メッキ部５ａ、５ｂを形成する。このとき、スルーホール３の内面および絶縁基板２の下面に形成された下地電極パターン４の上にも同様の材料の表面メッキ部３ａが形成される。このようにして、図１（ａ）、（ｂ）に示すＬＥＤ基板１０が形成される。なお、この状態で、図１（ａ）に示すようにスルーホール３の入り口はプリプレグよりなる前記被覆樹脂６により塞がれている。
【００２２】
このようにして形成したＬＥＤ基板１０（図１（ａ）、（ｂ））の上に、図１（ｃ）に示すように、ｐ−ｎ接合の半導体の発光ダイオードのチップであるＬＥＤ素子１を固定し、このＬＥＤ素子１をワイヤー１２により前記表面メッキ部３ａ、３ｂに電気的に接続する。その後、モールド樹脂よりなる封止部材７を形成し、これらを封止する。このようにして、ＬＥＤの集合体であるＬＥＤ集合体５０Ｓを形成する。次に、図１（ｃ）の点線で示す切断線に沿ってスルーホール３を通るダイシングにより図１０（ｄ）に示す個々のＬＥＤ５０が切り離されて形成される。このとき、一体となっていた下地電極パターン４（図１（ｂ）、図２（ｂ）参照）はスルーホール３の左右に分離されて、ＬＥＤ５０においては下地電極パターン４ａ、４ｂとなる。そして、下地電極パターン４ａは表面メッキ部５ａと接続し、下地電極パターン４ｂは表面メッキ部５ａと接続することとなる。
【００２３】
このようにして製造されたＬＥＤ５０は表面実装型のＬＥＤであり、左右のスルーホール３の表面メッキ部３ａを図示しない回路基板の対応する電極に半田付け等により固定することができる。そして表面メッキ部３ａを介して下地電極パターン４ａと４ｂの間に所定の電圧を印加することにより、ＬＥＤ素子１に所定の電流を流し、これを発光させることができる。このＬＥＤ５０の製造の過程において、図１（ｃ）に示したようにＬＥＤ基板（１０）の上にモールド加工によりモールド樹脂よりなる封止部材７を形成する際に、スルーホール３の入り口はプリプレグよりなる前記被覆樹脂６により塞がれているので、溶融したモールド樹脂がスルーホール３に侵入して絶縁基板２の裏側にしみ出すのが防止できる。しかも、被覆樹脂６は、図１（ｂ）に示すように表面メッキ部５ａ、５ｂを除く広い範囲で絶縁基板２上に固着されているので、ワイヤー（１２）のボンディングエリアである表面メッキ部５ａ、５ｂの面積を増やし、スルーホール３の近傍における被覆樹脂６の幅が狭くなっても（図１（ｃ）参照）、被覆樹脂６全体としての密着力は十分高いので、図６に示した従来のドライフィルム１２５を接着するＬＥＤ基板１２０に比較すると、密着力の心配をすることなく、ボンディングエリアを有効に広げることができ、電極の利用効率を高め、最終的にはＬＥＤの小型化を図ることができる。
なお、下地パターン電極４として銅をある程度厚くメッキしておけば、図２（ｄ）に示すように被覆樹脂６の必要部分（表面メッキ部５ａ、５ｂに対応する部分）を除去する際に、エッチング液によって下地パターン電極４が侵され、破損することを防ぐことができる。
なお、本実施例１においては、表面メッキ部（５ａ、５ｂ）を、ワイヤーによるボンディングをするためのボンディングエリアとしたが、本発明はこれに限らず、かかる表面メッキ部をダイボンド及びワイヤー等の手段によりＬＥＤ素子をボンディングするための実装領域とすることができる。
【実施例２】
【００２４】
以下に図面を参照して、本発明に係るＬＥＤ基板の基板構造の実施例２を説明する。図３は実施例２の構成を示す図である。図３（ａ）は実施例２に係るＬＥＤ基板２０の断面図であり、図３（ｂ）はその上面図である。図３（ａ）、（ｂ）において８は絶縁基板２の上面に、導通電極手段として形成された、銅箔よりなる銅箔パターンである。銅箔パターン８は絶縁基板２の上面全体に圧着により接合された後に、公知のエッチング等によるパターニングにより形成される。銅箔パターン８の上にはプリプレグよりなる被覆樹脂６が、図１及び図２に示した実施例１の場合と同様にして形成され、必要部分を除いて銅箔パターン８を被覆し、絶縁基板２上に強固に保持する。５ａ、５ｂは被覆樹脂６の形成後、銅箔パターン８の露出部に形成された表面メッキ部であり、図１に示す表面メッキ部５ａ、５ｂと同様の材質よりなる。３ｃは絶縁基板２に設けられたスルーホール３において銅箔パターン８の下面とスルーホール３の内面から絶縁基板２の下面にかけて形成された表面メッキ部である。表面メッキ部３ｃは銅箔パターン８が形成された後に形成されるが、前記表面メッキ部５ａ、５ｂと同様の材質で形成することもできるが、必要に応じて、図示は省略するが、図１に示すような銅を下地とする２層のメッキ部とすることもできる。このようにして、実施例２に係るＬＥＤ基板２０が形成される。
【００２５】
次に、図３（ｃ）に示すように、このＬＥＤ基板２０の上に、図１に示す実施例１の場合と同様にしてＬＥＤ素子１が搭載され、ワイヤー１２による接続がなされる。その後、モールド樹脂よりなる封止部材７による封止が行われ、ＬＥＤの集合体６０Ｓが形成される。ＬＥＤの集合体６０Ｓを点線で示す位置でダイシングすることにより、図３（ｄ）に示す表面実装型のＬＥＤ６０が分離して形成される。このＬＥＤ６０においては、銅箔パターン８はダイシングによりスルーホール３の右側の部分８ａと左側の部分８ｂとの分離され、銅箔パターン８ａは表面メッキ部５ａと導通し、銅箔パターン８ｂは表面メッキ部８ｂと導通し、ＬＥＤ６０が図示しない回路基板に表面実装された場合に、ワイヤー１２を介してＬＥＤ素子１に所用の電流を供給する役割をなす。このようなＬＥＤ６０の製造工程において、図３（ｃ）に示すように、ＬＥＤ基板（２０）上にモールド樹脂による封止部材を形成する際に、スルーホール３は銅箔パターン８により塞がれているので、溶融したモールド樹脂がスルーホール３に侵入して絶縁板２の裏側にしみ出すのを防止することができる。又、ＬＥＤの集合体６０Ｓをダイシングして個々のＬＥＤ６０に分割する際には、銅箔パターン８を切断するためのストレスが発生するが、上記したように、銅箔パターン８はプリプレグよりなる被覆樹脂６により、絶縁基板２上に強固に固定されている
ため、ダイシングのストレスによっても、絶縁基板２から剥離することはない。この点が図７に示した従来例と異なるところであり、本実施例２の長所である。
【実施例３】
【００２６】
以下に図面を参照して、本発明に係るＬＥＤ基板の基板構造の実施例３を説明する。図４は実施例３の構成を示す図である。図４（ａ）は実施例３に係るＬＥＤ基板３０の構造を示す上面図であり、図４（ｂ）は図４（ａ）のＡ−Ａ断面図であり、図４（ｃ）は図４（ａ）のＢ−Ｂ断面図である。図４（ａ）、（ｂ）、（ｃ）において、１８は絶縁基板２の上に導通電極手段として形成された銅箔パターンである。銅箔パターン１８の平面形状は図３に示した銅箔パターン８とは異なった形状となっている（この点を除けばＬＥＤ基板３０の構造は図３に示したＬＥＤ基板２０の構造と同様である。）。すなわち銅箔パターン１８の平面形状は、スルーホール３をカバーする部分が凸部となり、更に、表面メッキ部５ａと５ｂの間に食い込む凹部が設けられている。これは、スルーホール３を銅箔パターン１８の中央部からずらせることにより、銅箔パターン１８の利用面積を高めるとともに、後述するように、ＬＥＤ７０を形成した際に銅箔パターン１８の端面がなるべく外部に露出しないようにするためである。本実施例３に係るＬＥＤ基板３０の形成方法は基本的には図３示した実施例２に係るＬＥＤ基板２０の形成方法と同様である。
【００２７】
ＬＥＤ基板３０を形成した後、図３（ｃ）に示すのと同様の方法により、表面メッキ部５ａにＬＥＤ素子１を搭載し、ワイヤー１２により、ＬＥＤ素子１を表面メッキ部５ａと５ｂに接続した後に、封止部材７により封止を行い、図４（ａ）の点線で示すラインに沿ってダイシングを行い、図４（ｄ）に示す個別の表面実装型のＬＥＤ７０が形成される。このＬＥＤ７０はコーナー部にスルーホール３が配されており、スルーホール３を通るダイシングにより、図４（ｅ）に示すように、銅箔パターン（１８）がスルーホール３の右側の銅箔パターン１８ａとスルーホール３の左側の銅箔パターン１８ｂが導通しないように分割され、銅箔パターン１８ａは表面メッキ部５ａと、銅箔パターン部１８ｂは表面メッキ部５ｂと、それぞれ導通する。銅箔パターン部１８ａと銅箔パターン１８ｂはスルーホール３の近傍においてはその端面が外部に露出しているが、それ以外の場所においては、その端面は図４（ｅ）に示すように絶縁基板２の端面から若干距離をおいて位置しているで、この部分が、図３（ｄ）に示す被覆樹脂６により覆われ、側面が外部に露出するのを防止している。これにより、ＬＥＤ７０の取り扱いの安全性が向上する。又、ＬＥＤ７０においては、平面的に見て、全体の面積に占める表面メッキ部５ａ、５ｂの割合を大きくとることができ、ＬＥＤ素子１の発光の反射を増加させることができ、最終的にＬＥＤ７０の出射光の光量を上げることができる。本実施例３のその他の長所は、図３に示して説明した実施例２の長所と同様である。
【図面の簡単な説明】
【００２８】
【図１】本発明の実施例１に係るＬＥＤ基板及びこのＬＥＤ基板を用いたＬＥＤの構造を示す図である。
【図２】図１に示したＬＥＤ基板の形成方法を示す図である。
【図３】本発明の実施例２に係るＬＥＤ基板及びこのＬＥＤ基板を用いたＬＥＤの構造を示す図である。
【図４】本発明の実施例３に係るＬＥＤ基板及びこのＬＥＤ基板を用いたＬＥＤの構造を示す図である。
【図５】従来のＬＥＤ基板及びこれを用いたＬＥＤの構造を示す図である。
【図６】従来のＬＥＤ基板及びこれを用いたＬＥＤの構造を示す図である。
【図７】従来のＬＥＤ基板及びこれを用いたＬＥＤの構造を示す図である。
【符号の説明】
【００２９】
１  ＬＥＤ素子
２  絶縁基板
３  スルーホール
３ａ、３ｃ、５ａ、５ｂ  表面メッキ部
４、４ａ、４ｂ  下地電極パターン
６  被覆樹脂
７  封止部材
８、１８  銅箔パターン
１０、２０、３０  ＬＥＤ基板
１２  ワイヤー
５０、６０、７０  ＬＥＤ
５０Ｓ、６０Ｓ、７０Ｓ  ＬＥＤ集合体    
【図１】
2005197479.tif 000003
【図２】
2005197479.tif 000004
【図３】
2005197479.tif 000005
【図４】
2005197479.tif 000006
【図５】
2005197479.tif 000007
【図６】
2005197479.tif 000008
【図７】
2005197479.tif 000009